【手続補正書】
【提出日】平成27年8月26日(2015.8.26)
【手続補正１】
【補正対象書類名】特許請求の範囲
【補正対象項目名】全文
【補正方法】変更
【補正の内容】
【特許請求の範囲】
【請求項１】
格子形状照明モジュールであって、当該格子形状照明モジュールは：
ノードを含む格子を規定する複数の導電性ワイヤと；
複数の固体光源であって、各光源が、前記ノードのそれぞれに配置されており、且つ前記複数の導電性ワイヤのうちの２つの導電性ワイヤに接続されている、固体光源と；を備えており、
前記導電性ワイヤは、前記格子形状照明モジュールが３次元トポグラフィを形成するようにプリーツ加工され、
前記導電性ワイヤの各々は、複数のプリーツを形成するようにプリーツ加工されており、各プリーツは、互いに隣接する２つの固体光源の間に配置され、少なくとも１つのプリーツは、前記導電性ワイヤに接続されたそれぞれ互いに隣接する固体光源のペアの間に配置される、
格子形状照明モジュール。
【請求項２】
少なくとも３つのプリーツが、互いに隣接する２つの固体光源の間に配置される、
請求項１に記載の格子形状照明モジュール。
【請求項３】
前記導電性ワイヤの各々は、折畳み式プリーツを形成するようにプリーツ加工される、
請求項１又は２に記載の格子形状照明モジュール。
【請求項４】
前記固体光源の各々は、発光ダイオード（ＬＥＤ）である、
請求項１乃至３のいずれか一項に記載の格子形状照明モジュール。
【請求項５】
発光装置であって、当該発光装置は：
光学的に透明な第１シートと；
第２シートと；
第１シートと第２シートの間に挟まれた請求項１乃至４のいずれか一項に記載の格子形状照明モジュールであって、固体光源によって放射された光が第１シートを通過するように配置される、格子形状照明モジュールとを有する、
発光装置。
【請求項６】
第２シートは、前記格子形状照明モジュールに対向する反射面を有しており、
前記格子形状照明モジュールは、前記固体光源が第２シートの反射面に向けて光を放射するように向き合わせされるように配置されており、その光が第１シートに向けて反射される、
請求項５に記載の発光装置。
【請求項７】
第１シートは、光を拡散的に透過するように構成される、
請求項５又は６に記載の発光装置。
【請求項８】
前記発光装置が、第１シートと第２シートとの間に挟まれたセル状空間構造体をさらに備えており、該セル状空間構造体は、第１シートと第２シートとの間に複数のセルを形成し、
前記格子形状照明モジュールは、該格子形状照明モジュールに含まれる前記固体光源の各々が、複数のセルのうちの対応する１つに設けられるように配置される、
請求項５乃至７のいずれか一項に記載の発光装置。
【請求項９】
前記セル状空間構造体は、ハニカム構造であり；
前記格子形状照明モジュールの前記導電性ワイヤの各々は、前記導電性ワイヤに接続されたそれぞれ互いに隣接する固体光源のペアの間に少なくとも１つのプリーツを形成するようにプリーツ加工されており；
前記プリーツの各々は、ハニカム構造体の壁によって支持される、
請求項８に記載の発光装置。
【請求項１０】
前記格子形状照明モジュールの前記導電性ワイヤの各々は、複数のプリーツを形成しており、少なくとも３つのプリーツが、互いに隣接する２つの固体光源の間に配置されており、
前記格子形状照明モジュールは、前記プリーツの少なくとも１つが、第１及び第２シートのうちの一方と接触するとともに、前記プリーツの少なくとも２つが、第１及び第２シートの他方と接触するように第１シートと第２シートとの間に挟まれる、
請求項５乃至７のいずれか一項に記載の発光装置。
【請求項１１】
３Ｄトポグラフィを有する格子形状照明モジュールの製造方法であって、当該製造方法は：
ワイヤの長さ方向に対して直交する幅方向に延びる幅を有するワイヤのアレイを形成するために、複数の導電性ワイヤを並行して配置するステップであって、前記幅方向及び前記長さ方向が、初期アレイ面を規定する、配置するステップと；
複数の固体光源を前記ワイヤのアレイ上に配置して、固体光源の各々を少なくとも２つの隣接するワイヤに電気的に結合するステップと；
前記初期アレイ面に対して垂直方向に延びるプリーツを形成するように、前記ワイヤのアレイをプリーツ加工するステップであって、前記導電性ワイヤの各々は、複数のプリーツを形成するようにプリーツ加工されており、各プリーツは、互いに隣接する２つの固体光源の間に配置され、少なくとも１つのプリーツは、前記導電性ワイヤに接続されたそれぞれ互いに隣接する固体光源のペアの間に配置される、加工するステップと；
前記ワイヤのアレイを延伸して、該ワイヤのアレイの幅を増大させるステップと；を含む、
製造方法。
【手続補正２】
【補正対象書類名】明細書
【補正対象項目名】００１９
【補正方法】変更
【補正の内容】
【００１９】
様々な実施形態によれば、発光装置は、第１シートと第２シートとの間に挟まれたセル状空間構造体をさらに含むことができ、このセル状空間構造体は、第１シートと第２シートとの間に複数のセルを形成する。格子形状照明モジュールは、この格子形状照明モジュールに含まれる固体光源の各々が、複数のセルの対応する１つに設けられるように配置してもよい。
ハニカム構造体とすることができるセル状空間構造体は、発光装置の構造強度を増大することができ、格子形状照明モジュールの支持をさらに提供することができる。また、セル状空間構造体の壁部は、発光装置のグレアを低減することができる。
【手続補正３】
【補正対象書類名】明細書
【補正対象項目名】００２０
【補正方法】変更
【補正の内容】
【００２０】
具体的には、格子形状照明モジュールは、各導電性ワイヤが、それぞれ互いに隣接するＬＥＤ等の固体光源のペアの間に少なくとも１つのプリーツを形成するように構成することができる。プリーツの間隔は、プリーツが、ハニカム状構造体のセル内に固体光源を位置決めするように、ハニカム状構造体のセル状隔壁の間隔に適合させることができる。
さらなる実施形態によれば、格子形状照明モジュールの導電性ワイヤの各々は、複数のプリーツを形成することができ、少なくとも３つのプリーツが、互いに隣接する２つの固体光源の間に配置されている。格子形状照明モジュールは、プリーツの少なくとも１つが、第１及び第２シートのうちの一方と接触するとともに、プリーツの少なくとも２つが、第１及び第２シートのうちの他方と接触するように第１シートと第２シートとの間に挟まれる。
【手続補正４】
【補正対象書類名】明細書
【補正対象項目名】００２９
【補正方法】変更
【補正の内容】
【００２９】
図３は、図２を参照して上述した第１の実施形態とは異なる第２の実施形態に係る発光パネル１を示しており、図３の発光パネル１は、セル状支持構造体を有しておらず、格子形状照明モジュールの構成が異なっている。図３の格子形状照明モジュール２３では、金属ワイヤ１５ａ，１５ｂは、互いに隣接するＬＥＤ１７ａ〜１７ｃの間に３つのプリーツ２８ａ〜２８ｃを形成するように曲げられる。図２の実施形態のように、プリーツ２８ａ〜２８ｃは、折畳み式のプリーツであり、光反射フォイル１１に向けられたセンタープリーツ２８ｂと、光拡散フォイル１０に向けられた２つのサイドプリーツ２８ａ，２８ｃとを有する。ここで示されている例示的な実施形態では、サイドプリーツ２８ａ，２８ｃは、絶対的な振幅が等しく、且つセンタープリーツ２８ｂの振幅よりも小さい。これにより、ＬＥＤ１７ａ〜１７ｃは、さらなる間隔手段を必要とせずに、光反射フォイル１１及び光拡散フォイル１０の両方から確実に離間させることができる。しかしながら、金属ワイヤ１５ａ，１５ｂによるシャドウ効果を回避するために、サイドプリーツ２８ａ，２８ｃと光拡散フォイル１０との間に光学的に透明な間隔構造体又は「支持棒(stand off)」を追加することが有益である。